(57)【要約】【課題】複数の調理鍋を余裕をもって同時に使用して調理することができ、その上１つの加熱部を長時間使用しても他の調理の邪魔にならない使い勝手のよい組込式加熱調理器を提供する。【解決手段】支持枠６及びこの支持枠６に固定されたトッププレート５、このトッププレート５が天面開口部に取付けられた本体ケースの内部に複数の加熱部、この加熱部の出力等をそれぞれ制御する制御部等が設けられ、外部に制御部を選択的に制御する主操作部１０を備えた主加熱調理器２と、枠体３２及びこの枠体３２に固定された副トッププレート３３、この副トッププレートが副天面開口部に取付けられた底板３１の内部に副加熱部が設けられた副加熱調理器３０とを備え、主加熱調理器２をトッププレート５が流し台１００の天板１０１上に露出するように流し台１００に組込むと共に、副加熱調理器３０を主加熱調理器２に隣接して流し台１００の天板１０１上に設置するようにした。【選択図】        図１
2005024196.tif 000002
【特許請求の範囲】
【請求項１】
支持枠及び該支持枠に固定されたトッププレート、該トッププレートが天面開口部に取付けられた本体ケースの内部に複数の加熱部、該加熱部の出力等をそれぞれ制御する制御部等が設けられ、外部に前記制御部を選択的に制御する主操作部を備えた主加熱調理器と、
枠体及び該枠体に固定された副トッププレート、該副トッププレートが副天面開口部に取付けられた底板の内部に副加熱部が設けられた副加熱調理器とを備え、
前記主加熱調理器を前記トッププレートが流し台の天板上に露出するように該流し台に組込むと共に、前記副加熱調理器を前記主加熱調理器に隣接して前記流し台の天板上に設置するようにしたことを特徴とする組込式加熱調理器。
【請求項２】
前記主加熱調理器と前記副加熱調理器とを一体に構成したことを特徴とする請求項１記載の組込式加熱調理器。
【請求項３】
前記主加熱調理器のトッププレートと前記副加熱調理器の副トッププレートがほぼ同一平面になるように構成したことを特徴とする請求項１又は２記載の組込式加熱調理器。
【請求項４】
前記副加熱調理器の副加熱部を、前記主加熱調理器の制御部によって制御することを特徴とする請求項１〜３のいずれかに記載の組込式加熱調理器。
【請求項５】
前記主加熱調理部の主操作部に、前記副加熱調理器の副加熱部を制御する操作スイッチを設けたことを特徴とする請求項１〜４のいずれかに記載の組込式加熱調理器。
【請求項６】
前記副加熱調理器に、前記副加熱部の出力等を制御する副制御部を設けたことを特徴とする請求項１〜３のいずれかに記載の組込式加熱調理器。
【請求項７】
前記副加熱調理器に、前記制御部又は副制御部の出力等を制御する操作スイッチを有する副操作部を設けたことを特徴とする請求項１〜４又は６のいずれかに記載の組込式加熱調理器。
【請求項８】
前記制御部又は副制御部に、調理物の沸騰後に所定の温度で保温する保温モード回路を設けたことを特徴とする請求項１〜７のいずれかに記載の組込式加熱調理器。
【請求項９】
前記制御部又は副制御部に、所定時間後に副加熱部に通電する予約タイマー制御回路を設けたことを特徴とする請求項１〜８のいずれかに記載の組込式加熱調理器。
【請求項１０】
前記副加熱調理器に、前記主加熱調理器から電力を供給する給電部を設けたことを特徴とする請求項１〜９記載のいずれかに記載の組込式加熱調理器。
【請求項１１】
磁性材からなる内鍋と、非磁性からなり前記内鍋が底面を露出して挿脱自在に収容される鍋容器と、該鍋容器の上面開口部を開閉自在に覆う蓋体とからなる炊飯器を有し、
該炊飯器の外側に、該炊飯器を前記副加熱調理器のトッププレート上に載置した際に前記給電部に接続する受電部を設けたことを特徴とする請求項１０記載の組込式加熱調理器。
【請求項１２】
前記給電部の上流側に、電圧降下手段を設けたことを特徴とする請求項１０又は１１記載の組込式加熱調理器。
【請求項１３】
前記炊飯器の外面に、副加熱部の出力等を制御する操作スイッチを有する炊飯器操作部を設けたことを特徴とする請求項１１又は１２記載の組込式加熱調理器。
【請求項１４】
前記炊飯器に、前記予約タイマー制御回路を制御する操作スイッチを設けたことを特徴とする請求項１１〜１３のいずれかに記載の組込式加熱調理器。
【請求項１５】
前記副加熱調理器に、調理鍋や炊飯器を副トッププレート上の所定の位置に載置するためのガイド部を一体に、又は可動若しくは着脱自在に設けたことを特徴とする請求項１〜１４記載の組込式加熱調理器。
【発明の詳細な説明】
【０００１】
【発明の属する技術分野】
本発明は、複数の加熱手段を有し、流し台に組込まれる組込式加熱調理器に係り、さらに詳しくは、副加熱調理器を備えた組込式加熱調理器に関するものである。
【０００２】
【従来の技術】
従来のこの種組込式加熱調理器に、トッププレートと、前記トッププレートの下方に設けられた複数の誘導加熱コイルと、それぞれに前記誘導加熱コイルを駆動するインバータ回路部を設けた複数の駆動回路基板と、前記駆動回路基板に送風するファンと、前記ファンを駆動するモータと、ロースターと、前記誘導加熱コイルとロースターを操作する操作部と、前記誘導加熱コイル、前記駆動回路基板、前記ファン、前記モータ、前記ロースター、前記操作部を内部に収める外郭ケースを有し、前記駆動回路基板を多段に積み重ねて取り付け、各駆動回路基板のインバータ回路部をファンの近傍に設けるようにしたものがある（例えば、特許文献１参照）。
【０００３】
【特許文献１】
特開２００１−２６７０５４号公報（第４〜５頁、図１〜３）
【０００４】
【発明が解決しようとする課題】
特許文献１に記載されたような複数の加熱部を有する従来の組込式加熱調理器においては、流し台の天板に開口される加熱調理器を組込むための収容開口部は大きさが統一されており、各加熱部間の距離を大きくすることには限界があった。このため、大きな調理鍋等を同時に使用したいときなどは、調理鍋、特にとっ手が隣の調理鍋やとっ手に接触したり、調理鍋のとり回しが大変不便であったり、さらには、調理鍋どうしが衝突して煮物をこぼしたりすることがあった。
【０００５】
また、調理鍋を長時間トッププレート上に載置しておくと、他の調理鍋を使用する際邪魔になったりする不便さもあった。
また、調理鍋になんらかの理由で外力が加わると、調理鍋が加熱部上の所定位置から移動してしまい、加熱効率の低下が生じていた。
さらに、従来の加熱調理器は、例えば市販の調理鍋で炊飯などを行う場合、炊くことはできるが、その後自動的にむらしや保温用の所定温度制御に移行しないため再度のスイッチ操作が必要であった。そのため大変煩しく、家事に忙しい場合などでは忘れてしまい、ご飯が冷たくなってしまうおそれもあった。
【０００６】
本発明は、上記の課題を解決するためになされたもので、複数の調理鍋を余裕をもって同時に使用して調理することができ、その上１つの加熱部を長時間使用しても他の調理の邪魔にならない使い勝手のよい組込式加熱調理器を提供することを目的としたものである。
【０００７】
【課題を解決するための手段】
本発明に係る組込式加熱調理器は、支持枠及び該支持枠に固定されたトッププレート、該トッププレートが天面開口部に取付けられた本体ケースの内部に複数の加熱部、該加熱部の出力等をそれぞれ制御する制御部等が設けられ、外部に前記制御部を選択的に制御する主操作部を備えた主加熱調理器と、枠体及び該枠体に固定された副トッププレート、該副トッププレートが副天面開口部に取付けられた底板の内部に副加熱部が設けられた副加熱調理器とを備え、前記主加熱調理器を前記トッププレートが流し台の天板上に露出するように該流し台に組込むと共に、前記副加熱調理器を前記主加熱調理器に隣接して前記流し台の天板上に設置するようにしたものである。
【０００８】
【発明の実施の形態】
［実施の形態１］
図１は本発明の実施の形態１に係る組込式加熱調理器を流し台に組込んだ状態を示す斜視図、図２は図１の加熱部の縦断面図、図３は図１の組込式加熱調理器の斜視図、図４は図１の主加熱調理器と副加熱調理器の一体構造の一例の縦断面図、図５は図４の支持フレームの斜視図である。
図において、１は流し台１００に組込まれた組込式加熱調理器で、２は主加熱調理器、３０はこの主加熱調理器２の一方の側に一体的に設けられて、流し台１００の天板１０１上に載置された副加熱調理器である。
【０００９】
主加熱調理器２は、天面が開口されて上端部外周に、周縁に周壁４ａを有するフランジ４が設けられた箱状の本体ケース３と、周壁６ｂを有し開口部６ａが設けられ、下面に例えばセラミックスプレートの如き非磁性材料からなるトッププレート５が、開口部６ａを覆って接着剤等により取付けられた支持枠６とを有し、この支持枠６は本体ケース３にその天面開口部を覆って取付けられている。そして、トッププレート５の上面には、後述の加熱部の位置に対応して、磁性材料からなる調理鍋９０やフライパン等の調理具（以下、調理鍋９０という）の載置位置を表示する載置部７ａ，７ｂが設けられており、載置部７ａ，７ｂの近傍には出力表示部８ａ，８ｂが設けられている。
【００１０】
本体ケース３の前面側の一方の側には、ハンドル９ａを有する引出し式のロースタ９が設けられており、ロースタ９に隣接して、例えば、電源スイッチ１１ａ、出力調整ダイアル１１ｂや予約タイマースイッチ１１ｃ、炊飯スイッチ、煮物スイッチ等の各種の操作スイッチ１２、表示部１３などを有する主操作部１０が設けられている。この場合、主操作部１０に、副加熱調理器３０の出力調整ダイアル、予約タイマースイッチその他の操作スイッチを併せて設けてもよい。
また、支持枠６の後部側の一方の隅部には、トッププレート５が切除されて外気を本体ケース３内に吸引する吸気口１４が設けられており、本体ケース３の側壁及び前壁には排気口１５が設けられている。１６は支持枠６の前面側において、載置部７ａ，７ｂに対応して設けられた火力調整スイッチ等を有する補助操作部である。
【００１１】
トッププレート５に設けた調理鍋９０の載置部７ａ，７ｂの下には、トッププレート５の下面側において、コイル台２１に渦巻状に巻かれた誘導加熱コイル２２が配設された加熱部２０ａ，２０ｂが設けられている。２３は加熱部２０ａ，２０ｂの中心部にそれぞれ設けられ、トッププレート５の下面に当接されて載置部７ａ，７ｂ上に載置された調理鍋の温度を検出する温度センサである。なお、この加熱部２０ａ，２０ｂは一部が抵抗線からなるヒータであってもよい。
２４は電源部、２５はマイコン等を含む加熱部２０ａ，２０ｂの出力制御回路や予約タイマー制御回路２５ａ（図７参照）等が設けられた制御部で、副加熱調理器３０の後述する副加熱部４５の制御回路も設けられている。なお、この制御部２５は、各加熱部２０ａ，２０ｂや後述の副加熱部４５ごとに設けてもよく、これらを一括して１つの制御部２５としてもよい。２６は吸気口１４から外気を吸引し、加熱部２０ａ，２０ｂ、電源部２４、制御部２５等を冷却して、排気口１５から排出する冷却用送風機である。
【００１２】
３０は主加熱調理器２と一体に構成された薄型の副加熱調理器で、主加熱調理器２と一体的に形成され、天面が開口されてその下面がフランジ４の下面とほぼ同一平面（脚部３１ｂを設けた場合は、脚３１ｂの下端部をフランジ４の下面と同一平面にする）で、周壁３１ａが設けられた底板３１と、天面に開口部３２ａを有し、周壁３２ｂが設けられて底板３１に取付けられた断面コ字状の枠体３２とを有し、枠体３２の下面には開口部３２ａを覆って調理鍋９０の載置部３４、火力表示部３５が設けられた非磁性材からなる副トッププレート３３が接着剤等により取付けられている。
【００１３】
３６は枠体３２の後部に設けた外気の吸込口である。なお、図示してないが、底板３１の主加熱調理器２側の側壁３１ａには主加熱調理器２の本体ケース３と連通する開口部が設けられており、他方の側壁３１ａ（枠体３２の側壁３２ｂを含む）には排気口が設けられている。また、トッププレート３３に設けた載置部３４の後部側の枠体３２の上面には、載置部３４上に載置された調理鍋９０を正確に位置決めするガイド部３７が設けられており、このガイド部３７は所定の間隔で立設された一対のガイド壁３８ａ，３８ｂと、ガイド壁３８ａ，３８ｂの間に設けられた開口部３９とからなっている。４０は枠体３２の前面側上面に設けた副操作部で、後述の副加熱部４５の火力調整スイッチ、予約タイマースイッチ等が設けられており、必要に応じて炊飯スイッチや煮物スイッチさらには表示部が設けられる。
【００１４】
副トッププレート３３の載置部３４の下には、副トッププレート３３の下面側において、コイル台４６に渦巻状に巻かれた誘導加熱コイル４７が配設された副加熱部４５が設けられており、誘導加熱コイル４７の中心部には温度センサ４８が設けられている。なお、この副加熱部４５は前述のように主加熱調理器２に設けた制御部２５で制御されるが、副加熱調理器３０内に専用の副制御部を設けてもよい。また、副加熱部４５の冷却は主加熱調理部２に設けた冷却用送風機２６で行ってもよく、あるいは副加熱調理部３０内に専用の冷却用送風機を設けてもよい。なお、主加熱調理器２の制御部２５に設けた副加熱調理器３０の制御回路、又は副加熱調理器３０に設けた専用の副制御部には、米又はその他の調理物を沸騰させたのち自動的に所定の温度状態に保つ保温モード回路である保温付き炊飯モード回路及び必要に応じて保温付き煮物モード回路が設けられている。
【００１５】
図４は主加熱調理器２と副加熱調理器３０の一体化構造の一例を示す断面図、図５は図４の支持枠及び枠体の斜視図、図６は図４の本体ケース及び底板の斜視図である。本例においては、主加熱調理器２の支持枠６と副加熱調理器３０の枠体３２とを、枠体３２の上面を支持枠６より上方に位置させて一体に形成したものである。
【００１６】
すなわち、開口部６ａ及び周壁６ｂを有する支持枠６と枠体３２との境界部を斜め上方に延設して傾斜面６ｃを形成し、この傾斜面６ｃの上部を支持枠６の天面と平行な天面とし、開口部３２ａ及び周壁３２ｂを有する枠体３２を形成して両者を一体とした支持枠フレームＳを構成し、開口部６ａ，３２ａの下面に非磁性材からなるトッププレート５及び副トッププレート３３をそれぞれ取付けたものである。また、本体フレーム３のフランジ４の周壁４ａより高い周壁３１ａを有する断面ほぼコ字状の底板３１の主加熱調理器２側の周壁３１ａを、本体フレーム３のフランジ４の周壁４ａに当接して固定すると共に、当接したフランジ４の周壁４ａと底板３１の周壁３１ａに、通気や配線を通すための開口部３ａ，４１を設けて本体ボックスＢを構成したものである。なお、本体フレーム３のフランジ４の底面と、底板３１に設けた脚部３１ｂの下面とは、ほぼ同一平面上に位置する。
【００１７】
上記のように構成した本実施の形態においては、本体ボックスＢの上面に支持枠フレームＳを位置させ、その周壁６ｂ，３２ｂを本体ボックスＢの周壁４ａ，３１ａの外周に嵌合する。このとき、本体ケース３と底板３１の接合部の上端部は支持フレームＳの傾斜面６ｃに当接する。
この場合、支持フレームＳの支持枠６と枠体３２との境界部を傾斜面６ｃあるいは円弧状に形成することで、調理鍋９０等の移動が容易になり、境界部に調理鍋９０等が当ったり煮物をこぼしたりすることがない。
なお、図５の１６ａ，１６ｂは補助操作部１６の取付部、４０ａは副操作部４０の取付部である。また、図６の３ａはロースタ９の取付部、３ｂは主操作部１０の取付部である。
【００１８】
図７は上記のような組込式加熱調理器１の電気系の概要例を示すもので、電源９５からの電力は、電源スイッチ１１ａを介して電圧降下用部品やマイコン等の制御部品からなる制御部２５、主操作部１０に加えられ、主操作部１０の操作スイッチ１２を切換えることにより、主加熱調理器２の加熱部２０ａ，２０ｂ、副加熱調理器３０の副加熱部４５の全部又は選択的に通電される。２５ａは制御部２５に設けた予約タイマー制御回路、１１ｃは主操作部１０に設けた予約タイマースイッチである。なお、電源９５には商用電源（１００Ｖ）を用いてもよいが、高電圧の２００Ｖ以上の電源を使用すれば、同時に複数の加熱部２０ａ，２０ｂ及び副加熱部４５を使用する場合にも高出力が得られるので、調理時間を短縮することができる（以下の実施の形態においても同様である）。
【００１９】
上記のように構成した組込式加熱調理器１は、図８に示すような流し台１００の天板１０１と前面板１０２に開口する収納凹部１０３内に天板開口部１０４から主加熱調理器２の本体ケース３が収容されて、フランジ４が収納凹部１０３の周縁に係止して設置され、支持枠６は天板１０１上に位置し、主操作部１０等は前面開口部１０５に位置する。また、副加熱調理器３０は収納凹部１０３に隣接し、主加熱調理器２と並んで天板１０１上に設置される。
【００２０】
次に、本実施の形態に係る組込式加熱調理器の使用の一例について説明する。
前述のように、主加熱調理器２の副加熱調理器用の制御部２５又は副加熱調理器３０に設けた制御部には、保温モード回路である保温付き炊飯モード回路及び必要に応じて保温付き煮物モード回路が設けられている。保温付き炊飯モード回路による炊飯用制御パターンは、図９に示すように、副加熱調理器３０の誘導加熱コイル４７に通電して米、水が入れられた調理鍋９０を発熱させて加熱し、調理鍋９０の温度が１００℃近傍に達したとき（これは温度センサ４８で検出される）は、連続的又は断続的にその温度を所定時間Ｔに維持して炊飯を終了させ、その後その温度を徐々に低下させてほぼ７３℃程度で保温する。
【００２１】
また、保温付き煮物モード回路は、図１０に示すように、副加熱調理器３０の誘導加熱コイル４７に通電して、煮物、水、調味料等が入れられた調理鍋９０を発熱させて加熱し、調理鍋９０の温度が１００℃近傍に達したときは、連続的又は断続的にその温度を所定時間ｔ（この時間ｔは、一般的にｔ＜Ｔである）に維持して煮込み工程を終了させ、以後その温度を徐々に低下させて例えば８０℃〜８５℃で保温（低温加熱）する。
【００２２】
米を炊飯する場合は、所要量の米と水が入れられた調理鍋９０を、図２に示すように、副加熱調理部３０の副トッププレート３３の載置部３４上に載置する。ついで主操作部１０の電源スイッチ１１ａを投入し、操作スイッチ１２の中の炊飯スイッチをＯＮすれば、制御部２５（又は副加熱調理器３０に設けた副制御部）を介して副加熱部４５の誘導加熱コイル４７に通電される。なお、副加熱調理器３０の副操作部４０に炊飯スイッチを設けた場合は、これを操作することにより他の操作スイッチと間違うことがない。このとき、主操作部１０に設けた予約タイマースイッチ１１ｃ又は副操作部４０に設けた予約タイマースイッチにより予約タイマーを発動させれば、表示部１３に炊飯の残り時間が表示される。なお、上記いずれかの予約タイマースイッチにより、副加熱部４５への通電時間をあらかじめセットしておいてもよい。これにより、図９に示した炊飯用制御パターンにしたがって炊飯され、自動的に保温される。
【００２３】
また、主加熱調理器２の載置部７ａ，７ｂの両方又はいずれか一方に、例えば煮物や調味料が入れられた調理鍋９０を載置して主操作部１０の煮物スイッチをＯＮすれば、炊飯と同時に１個又は２個の調理鍋９０により調理を行うことができる。なお、煮物等の調理にあたっては、補助操作部１６で火力を調整することができ、その調整出力は表示部８ａ，８ｂに表示される。このとき、本体ケース３内に設けた冷却用送風機２６により吸気口１４，３６から吸引された外気によって加熱部２０ａ，２０ｂ、制御部２５、副加熱部４５等が冷却され、排気口１５等から排気される。
【００２４】
この場合、調理鍋９０の外壁下部に、先端部が下方に折曲げられたほぼＬ字状の位置決め嵌合部（図１３参照）を設け、調理鍋９０を載置部３４上に載置する際に、この位置決め嵌合部をガイド部３７のガイド壁３８ａ，３８ｂの間及び開口部３９に嵌入すれば、調理鍋９０を所定の位置に確実に載置することができ、効率よく加熱することができる。
【００２５】
上記の説明では、副加熱調理器３０により炊飯する場合について述べたが、同様にして米以外の煮物などの調理を行うこともできる。
この場合は、煮物、水、調味料等が入れられた調理鍋９０を載置部３４上に載置し、主操作部１０の煮物スイッチ（又は副操作部４０の煮物スイッチ）をＯＮすれば、図１０に示した煮物用調理パターンにしたがって調理され、自動的に保温（低温加熱）される。なお、調理鍋９０を炊飯用と煮物用に分ければ、臭が残らないので便利である。
【００２６】
上記のように構成した本実施の形態によれば、主加熱調理器２に隣接して副加熱調理器３０を設けたので、従来、トッププレートに３つの調理鍋９０を載置していた加熱調理器に比べて、加熱部２０ａ，２０ｂ及び副加熱部４５の間隔を大きくとることができる。このため、複数の大きな調理鍋９０を同時に使用することができ、また、各調理鍋９０のとり回しも容易で、隣接する調理鍋９０やとっ手に触れることが減少する。さらに、副加熱調理器３０を別に設けたので、長時間専用に使用しても他の一般調理の邪魔にならない等、使い勝手のよい組込式加熱調理器を得ることができる。なお、主加熱調理器２のトッププレート５には従来通り３つの調理鍋９０を載置できるようにし、副加熱調理器３０に別の調理鍋９０を載置できるようにしてもよい。
【００２７】
また、大きなスペースを占める制御部２５を主加熱調理器２に設け、副加熱調理器３０の副加熱部４５をこの制御部２５で制御するようにしたので、副加熱調理器３０を薄く、かつコンパクトに形成することができる。
さらに、副加熱調理器３０を流し台１００の天板１０１上に載置するようにしたので、流し台１００に副加熱調理器３０の専用収納凹部を設ける必要がなく、このため、一般的な流し台１００を使用することができ、また、既存の流し台にもセットすることができる。さらに、副加熱調理器３０を主加熱調理器２と同時に流し台１００にセットできるので、取付けが容易である。
【００２８】
また、主加熱調理器２の主操作部１０に、副加熱調理器３０を含むすべてを操作できる操作スイッチを設けたので、使い勝手がよく便利である。
さらに、副加熱調理器３０に副加熱部４５を制御する操作スイッチを有する副操作部４０を設ければ、他の加熱部２０ａ，２０ｂと間違えて操作することがなく、便利である。
また、炊飯や煮込など沸騰後の保温が必要な調理においては、沸騰後特別に操作部を操作することなく自動的に保温温度に移行するので、便利である。なお、保温温度は、使用者が自由に変えられるように保温温度制御スイッチ等を設けることで、料理の幅を広げることができる。
さらに、副加熱調理器３０は主加熱調理器２の電源を利用しているので、わざわざコンセントを設ける必要がなく、特に、２００Ｖ等高圧電源を使用する場合、特別な工事が不用で有利である。なお、副加熱調理器３０の奥行を主加熱調理器２の奥行よりＬだけ短くして前面側をあければ、流し台１００を有効に利用することができる。
【００２９】
［実施の形態２］
図１１は本発明の実施の形態２に係る組込式加熱調理器を流し台に組込んで調理鍋を載置した状態を示す斜視図、図１２は図１１の副加熱調理器部分の縦断面図、図１３は図１２の調理鍋（炊飯器）の外観斜視図及びその要部の斜視図である。なお、実施の形態１と同じ部分にはこれと同じ符号を付し、説明を省略する。
【００３０】
図において、主加熱調理器２の構成は、実施の形態１の場合とほぼ同様なので、説明を省略する。また、副加熱調理器３０の構成も実施の形態１の場合とほぼ同様であるが、枠体３２内には、米又はその他の調理物を沸騰させたのち所定の温度状態に保つ保温モード回路である保温付き炊飯モード回路、及び必要に応じて保温付き煮物モード回路、さらに予約タイマー回路５０ａが設けられた副制御部５０、及び副冷却用送風機５１が設けられている。また、ガイド部３７の開口部３９内には、可動端子板からなり、副制御部５０及び副加熱部４５の誘導加熱コイル４７にそれぞれ接続された一対の給電部５２ａ，５２ｂが設けられている。なお、３６は枠体３２の後壁に設けた吸気口、４９は同じく前壁に設けた排気口であるが、排気口４９は枠体３２の側壁に設けてもよい。
【００３１】
６０は副加熱調理器３０を用いて主として炊飯用に用いられる調理鍋（以下、炊飯器という）で、図１２、図１３に示すように、少なくともその下部が非磁性材からなり、上下が開口したほぼ筒状の内壁６２及び空間部６３ａを介して内壁６２の外周を囲繞する外壁６３からなる二重構造の鍋容器６１と、磁性材からなり、上部外周にフランジ６４ａを有する有底筒状の内鍋６４とを有し、内鍋６４は鍋容器６１内に挿脱自在に収容されてそのフランジ６４ａが鍋容器６１の上端部６２ａに係止し、その底面６４ｂは鍋容器６１の下端部から露出する。
【００３２】
鍋容器６１の内壁６２の下部外周には、補助加熱体である誘導加熱コイルからなる底側面加熱体６５がコイル状に積層して設けられており、また、上部には補助加熱体であるヒータからなる上側面加熱体６６が設けられている。
６７は鍋容器６１の下部において、内壁６２と外壁６３との間の空間部６３ａ内において、底側面加熱体６５の外側に設けられた非磁性材からなるほぼ筒状のスカート部材で、炊飯器６０を副トッププレート３３上に載置したときに、その先端部も副トッププレート３３に当接して鍋容器６１を支持し、鍋容器６１の下端部から露出している内鍋６４の底面６４ｂを、副トッププレート３３に確実に当接させて効率よく発熱させるようにしたものである。このとき、内鍋６４の底面６４ｂとスカート部材６７の下端部は、同一平面か又はスカート部材６７の下端部がやや上方に位置するように構成される。
【００３３】
このようなスカート部材６７を設けることにより、鍋容器６１の下端部と副トッププレート３３との間に形成されたすき間を遮蔽して外部からの空気や塵埃の侵入を防止し、また熱が外部に逃げるのを防止することができる。さらに誘導加熱コイルからなる底側面加熱体６５から発生する磁気を遮蔽し、外部への磁束洩れを防止することができる。
【００３４】
６８は鍋容器６１の上部開口部を開閉する蓋体で、とっ手７０を有する上蓋６９、上蓋６９に取付けられた下蓋７１、下蓋７１に着脱可能に装着された内蓋７２からなり、蓋体６８の中心部には内鍋６４内に連通する蒸気抜き弁７３が設けられている。７４は下蓋７２に設けた蓋ヒータである。また、上蓋６９の上面には、炊飯スイッチ７５ａ、煮物スイッチ７５ｂ、予約タイマースイッチ（図示せず）、表示部７５ｃ等を有し、副制御部５０を制御する炊飯器操作部７５が設けられている。そして、この蓋体６８は、一端に設けたヒンジ７６により鍋容器６１に開閉自在に装着されており、閉じたときはラッチ７７によりロックされる。なお、上記の炊飯器操作部７５は蓋体６８に限定するものではなく、例えば鍋容器６１の外周面等、他の場所に設けてもよい。
【００３５】
７８は蓋体６８に設けた炊飯器操作部７５と反対側において、鍋容器６１の外壁６３の下部から突設した位置決め嵌合部で、先端部は下方に曲げられて係合部７９が設けられた側面ほぼＬ字状に形成されている。この位置決め嵌合部７８は、その幅が副加熱調理器３０に設けたガイド部３７のガイド壁３８ａ，３８ｂの内側間隔とほぼ等しく、係合部７８はガイド部３７の開口部３９に係合しうるように形成されている。そして、内部には端子板からなり、副加熱調理器３０のガイド部３７に設けた給電部５２ａ，５２ｂに接続される一対の受電部８０ａ，８０ｂが設けられており、この受電部８０ａ，８０ｂの間には、炊飯器操作部７５を介して補助加熱体６５，６６及び蓋ヒータ７４が接続されている。なお、給電部５２ａ，５２ｂ及び受電部８０ａ，８０ｂは各一対に限定するものではなく、実機器においては、それぞれ多数設けてもよい。また、給電部５２ａ，５２ｂと受電部８０ａ，８０ｂの電気的接続をより確実にするために、磁石等（図示せす）を用いてもよい。
【００３６】
図１４は本実施の形態の電気系の概要を示すもので、電源９５には電源スイッチ１１ａ、制御部２５、主操作部１０を経て主加熱調理器２の加熱部２０ａ，２０ｂの誘導加熱コイル２２が並列に接続されており、副加熱調理器３０のガイド部３７に設けた一方の給電部５２ａは副制御部５０に接続され、他方の給電部５２ｂは、一端が電源９５に接続された副加熱部４５の誘導加熱コイル４７の他端に接続されており、第３の給電部５２ｃは電源９５に接続されている。また、炊飯器６０の位置決め嵌合部７８に設けた受電部８０ａは炊飯器操作部７５を介して受電部８０ｂ及び補助加熱体６５，６６、蓋ヒータ７４を介して第３の受電部８０ｃに接続されている。
【００３７】
図１５は本実施の形態の電気系の他の例を示すもので、本例においては、副加熱調理器３０の一方の給電部５２ａは副制御部５０に接続され、他方の給電部５２ｂは電源９５に接続されている。また、炊飯器６０の位置決め嵌合部４８に設けた受電部８０ａ，８０ｂの間には、炊飯器操作部７５及び副加熱部４５の誘導加熱コイル４７と補助加熱体６５，６６、蓋ヒータ７４の並列回路が接続されている。なお、破線で示すように、第３の給電部５２ｃ、受電部８０ｃを設けて、副加熱調理器４５の誘導加熱コイル４７を電源９５に接続するようにしてもよい。
【００３８】
図１６は本実施の形態の電気系のさらに他の例を示すものである。前述のように、電源９５に２００Ｖ等の高圧電源を使用すれば、複数の加熱部２０ａ，２０ｂ及び副加熱部４５を使用する場合に、高出力が得られて調理時間を短縮することができるが、副加熱調理器２により補助加熱体５５，５６や蓋ヒータ７４を備えた炊飯器５０により炊飯や調理を行う場合は、安全性の面から副加熱調理器３０には低圧である１００Ｖ電源を使用することが望ましい。
【００３９】
そこで、本例においては、２００Ｖ電源を使用した組込式加熱調理器１において、副加熱調理器３０の入側（給電部５２ａの上流側）に電圧降下手段の１つである変圧器８１を設けて、副加熱調理器３０への供給電圧を１００Ｖに降下させたもので、これにより、副加熱調理部４５の副制御部５０、誘導加熱コイル４７、補助加熱体６５，６６及び蓋ヒータ７４に１００Ｖ電圧を通電するようにしたものである。
【００４０】
次に、本実施の形態に係る組込式加熱調理器１の使用の一例について説明する。炊飯器６０により米を炊飯する場合は、所要量の米と水が入れられた内鍋６４を鍋容器６１内に収容して蓋体６８を閉じ、副加熱調理器３０の副トッププレート３３の載置部３４上に載置する。このとき、内鍋６４の底面６４ｂはスカート部材６７の下端部と同じか又はやや下方に位置しているので、内鍋６４の底面６４ｂは副トッププレート３３に確実に当接する。同時に、位置決め嵌合部７８がガイド部３７のガイド壁３８ａ，３８ｂの間に嵌入し、係合部７９が開口部３９に嵌合して受電部８０ａ，８０ｂが給電部５２ａ，５２ｂに自動的に接続され、炊飯器６０は所定の位置（載置部３４上）に確実に位置決めされる。
【００４１】
ついで、主操作部１０の電源スイッチ１１ａを投入し、炊飯器６０の炊飯器操作部７５の炊飯スイッチ７５ａをＯＮすれば、副制御部５０を介して副加熱部４５の誘導加熱コイル４７に通電され、また、補助加熱体５５，５６及び蓋ヒータ７４にも通電される。このとき、予約タイマースイッチをＯＮして予約タイマーを発動させれば、炊飯器操作部７５の表示部７５ｃに炊飯の残り時間が表示される。なお、予約タイマーにより通電時刻をセットするようにしてもよい。これにより、図９の炊飯用制御パターンにしたがって炊飯され、自動的に保温される。このとき、副冷却用送風機５１により吸気口３６から吸引された外気により副加熱部４５や副制御部５０などが冷却され、排気口４９から排出される。
上記の説明では、炊飯器操作部７５に設けた炊飯スイッチ７５ａを操作して炊飯する場合を示したが、主操作部１０に副加熱調理器３０の炊飯スイッチや予約タイマースイッチを設けて操作するようにしてもよく、あるいは副加熱調理器３０の副操作部４０に炊飯スイッチや予約タイマースイッチを設けて操作するようしてもよい。
【００４２】
また、主加熱調理器２の載置部７ａ，７ｂの両方又はいずれか一方に、例えば煮物、水、調味料等が入れられた調理鍋９０を載置し、主操作部１０の調理用スイッチをＯＮすれば、炊飯と同時に１個又は２個の調理鍋９０により調理を行うことができる。なお、煮物等の調理にあたっては、補助操作部１６により火力を調整することができ、その調整出力は表示部８ａ，８ｂに表示される。また、予約タイマー１１ｃをセットした場合は、その発動時刻又は残り時間が表示部１３に表示される。
【００４３】
上記の説明では、炊飯器６０により米を炊飯する場合について述べたが、同様にして炊飯器６０により米以外の煮物等の調理を行うことができる。
この場合は、鍋容器６１に煮物、水、調味料等が入れられた内鍋６４を収容して炊飯器６０を載置部３４上に載置し、炊飯器操作部７５等の煮物スイッチ７５ｂをＯＮすれば、図１０の煮物用制御パターンにしたがって調理され、自動的に保温（低温加熱）される。なお、内鍋６４を炊飯用と煮物用に分ければ、臭が残らないので便利である。また、保温（低温加熱）の温度を自在に調整できるようすれば、いろいろな料理が可能になる。
【００４４】
上記のような本実施の形態によれば、実施の形態１の場合と同様の効果が得られるばかりでなく、内鍋６４の周囲を位置決め嵌合部７８を有する鍋容器６１で覆う専用の炊飯器６０を設けたので、炊飯器６０を副トッププレート３４に載置するだけで電気的接続を行うことができ、また、内鍋６４の保温効果を向上することができる。
【００４５】
さらに、炊飯器６０の内鍋６４の周囲に補助加熱体６５，６６を設けたので、炊飯器６０により炊飯や煮物等の一般の調理を行う場合、内鍋６４のほぼ全体が均一に加熱されるため加熱ムラがなく、効率よく調理することができる。また、保温性（低温加熱）を向上することができるので、いつでも暖かいご飯や料理を食べることができる。
また、炊飯器６０自体に炊飯スイッチ７５ａ、煮物スイッチ７５ｂ、予約タイマースイッチ、表示部７５ｃ等を有する炊飯器操作部７５を設けたので、使い勝手がよいばかりでなく、他の操作スイッチと間違うこともない。
【００４６】
［実施の形態３］
図１７は本発明の実施の形態３に係る組込式加熱調理器の要部の縦断面図、図１８は図１７の本体ボックスの斜視図である。なお、実施の形態１，２と同じ部分にはこれと同じ符号を付し、説明を省略する。
本実施の形態は、主加熱調理器２のトッププレート５と副加熱調理器３０の副トッププレート３３をほぼ同一平面上に配設したもので、その他の構成は実施の形態１又は２の場合とほぼ同様である。
【００４７】
本実施の形態は、主加熱調理器２の本体ボックスＢを構成する本体ケース３と、副加熱調理器３０の底板３１を一体に形成して上部の周囲に周壁４ａを設けると共に、本体ケース３と底板３１との境界近傍に、開口部４１を有する隔壁４２を設け、この隔壁４２の上に、前後方向に長く、長手方向の両側に支持腕４３ａ，４３ｂを有する断面ほぼ凸字状の連結部材４３を溶接等により取付けたものである。そして、三方の側壁が本体ケース３のフランジ４に結合された支持枠６の副加熱調理器３０側の端部を、連結部材４３の一方の支持枠４３ｂ上に載置して固定し、また、三方の側壁が底板３１に結合された枠体３２の主加熱調理器２側の端部を連結部材４３の他方の支持腕４３ａに載置して固定し、組込式加熱調理器１の外ケースを構成したものである。
【００４８】
この場合、副加熱調理器３０を、底板３１と流し台１００の天板１０１との間に若干すき間が形成されるように形成し、底板３１の自由端側の下面に、弾性材からなり上下方向の高さを調整できる脚部３１ｂを取付ければ、副加熱調理器３０の副トッププレート３３を、主加熱調理器２のトッププレート６と常にほぼ同一平面に位置するように調整することができ、また、副加熱調理器３０の振動を防止することができる。
【００４９】
図１９は本実施の形態の本体ボックスの他の例の斜視図である。本例は、主加熱調理器２の周壁４ａが設けられたフランジ４を有する本体ケース３と、副加熱調理器３０の周壁３１ａを有する断面ほぼコ字状の底板３１とを別体に形成し、両者の周壁４ａ，３１ａの上端部を同一平面上に位置させて、隣接する周壁４ａ，３１ａを溶接その他の手段により接合して一体化し、この接合部を隔壁４２ａとして開口部３ａ，４１を設けたものである。そして、図１７の場合と同様に、隔壁４２ａ上に連結部材４３を取付けて、本体ケース３と底板３１上に支持枠６及び枠体３２を取付けて外ケースを構成したものである。
【００５０】
図２０は本体ボックスの他の例の斜視図である。本例においては、図１９の本体ボックスＢにおいて、底板３１の奥行方向の長さを本体ケース３の奥行方向の長さと同じにしたものである。本例によれば、必要に応じて副加熱調理器３０に２つの加熱部４５を設けることができる。
また、図２１は本体ボックスＢのさらに他の例を示すもので、本例は本体ケース３と底板３１とを一体に形成して上部の周囲に四角形の周壁４ａを設けて奥行方向の長さを等しく形成すると共に、本体ケース３と底板３１との境界に隔壁を設けず、両者の間を開放したものである。本例によれば、本体ケース３内に設けた冷却用送風機２６による冷却風をすべて副加熱調理器３０内に取込むことができるので、加熱部４５等の冷却効果をより高めることができる。
【００５１】
図２２、図２３は本実施の形態の支持枠フレームの他の例を示す斜視図である。
図２２は、支持枠６と枠体３２とからなる支持フレームＳを、上面を同一平面とし周壁６ｂと共に一体に形成したもので、図１８、図１９に示すような本体ボックスＢ上に位置させて、その周壁６ｂを本体ボックスＢの周壁４ａ，３１ａの外側に嵌合するようにしたものである。
【００５２】
図２３は図２２の副加熱調理器３０側の枠体３１部分の奥行方向の長さを支持枠６部分と同じ長さにしたもので、図２０、図２１の本体ボックスＢに装着するようにしたものである。なお、図２３では主加熱調理器２側のトッププレート５に３つの載置部７ａ〜７ｃ（したがって加熱部２０）を設けた場合を示したが、他の実施の形態においても載置部を適宜増減することができる。
【００５３】
本実施の形態によれば、実施の形態１又は２と同様の機能及び効果が得られるが、さらに、主加熱調理器２のトッププレート６と副加熱調理器３０の副トッププレート３３とをほぼ同一平面上に設けたので、両者の間に段差がなく、このため炊飯器６０や調理器９０の持ち運びや移動が容易で、衝突して傷ついたり煮物がこぼれたりすることがない。
【００５４】
［実施の形態４］
図２４は本発明の実施の形態４に係る組込式加熱調理器を流し台に組込んだ状態を示す斜視図である。なお、実施の形態１と同じ部分にはこれと同じ符号を付し、説明を省略する。
本実施の形態は、実施の形態１の組込式加熱調理器において、主加熱調理器２の支持枠６の後部側の上面に吸気口１４と排気口１５とを設けたものである。また、副加熱調理器３０の枠体３２の後部側を上方に突出させて突出部３２ｂを設け、底板３１との間に比較的広い空間部を形成して、この空間部に副冷却用送風機５１を配設したもので、その他の構成は、実施の形態１の場合とほぼ同様である。
【００５５】
図２５は本実施の形態の電気系の概要例を示すもので、主加熱調理器２に設けた制御部２５（副加熱調理器３０に副制御部を設けた場合は、当該副制御部）から副操作部４０に加えられた電力は、副加熱部４５の誘導加熱コイル４７と副冷却用送風機５１に加えられ、副冷却用送風機５１は吸気口３６から外気を吸引し、主として副加熱部４５を冷却したのち、排気口４９から排出される。また、主加熱調理器２の冷却用送風機２６は、吸気口１４から外気を吸引し、加熱部２０ａ，２０ｂ、制御部２５等を冷却して排気口１５から排出される。
本実施の形態は、実施の形態１の場合とほぼ同様の効果が得られるが、さらに、副加熱調理器３０に副冷却用送風機５１に設けたので、副加熱部４５等をより効率的に冷却することができる。なお、矢印は冷却風の概略の流れを示すものである。
【００５６】
［実施の形態５］
図２６は本発明の実施の形態５に係る組込式加熱調理器の要部の斜視図である。なお、実施の形態１，２と同じ部分にはこれと同じ符号を付し、説明を省略する。
本実施の形態は、実施の形態１，２の副加熱調理器３０に設けたガイド部３７に代えて、位置決め部材８２によりガイド部を形成したものである。
【００５７】
この位置決め部材８２は、収納空間部８４を有するリング状のガイド体８３と取付腕８５とからなり、ガイド体８３に設けた収納空間部８４の内径は、調理鍋９０や炊飯器６０の内鍋６４の外径とほぼ等しいか又は若干大きく形成されている。また、取付腕８５は、副加熱調理器３０の後部側上面に設けた支持部８７とピン８８からなるヒンジ部８６により回動可能に支持されている。
そして、位置決め部材８２をヒンジ部８６を軸に回動させて、副トッププレート３３に当接又は近接させると、収納空間部８４が載置部３４の直上に位置するように構成されている。
【００５８】
上記のように構成した本実施の形態においては、位置決め部材８２は、不使用時や副トッププレート３３の清掃時には、図示のように後方に回動させて立てておく。なお、位置決め部材８２を後方に立てた場合に、その位置に固定して前面に倒れるのを防止するため、ヒンジ部８６にロック機構を設けてもよい。また、炊飯や調理を行うときは、位置決め部材８２を前方に回動させて、その収納空間部８４を載置部３４の直上に位置させる。
【００５９】
副加熱調理器２により炊飯又は調理を行う場合は、位置決め部材８２を前方に倒し、ガイド体８３上に炊飯器６０を載せて収納空間部８４内に内鍋６４の下部を収容し、あるいは調理鍋９０の下部を収納空間部８４内に収容すれば、その底面を載置部３４上に確実にセットすることができる。
これにより、内鍋６４や調理鍋９０を効率よく加熱することができ、また、炊飯器６０や調理鍋９０に外力が加えられても移動することがなく、常に載置部３４上に保持される。
【００６０】
図２７は本実施の形態の他の例の要部の斜視図である。
本例は、副加熱調理器３０の載置部３４の中心部の両側において、枠体３２の上面に突起部８９ａ，８９ｂを設けると共に、収納空間部８４を有するガイド体８３の両側に、前記突起部８９ａ，８９ｂに対応して固定穴８８ａ，８８ｂが設けられた取付腕８５ａ，８５ｂを設けて位置決め部材８２を構成したものである。
本例において、炊飯又は調理を行うときは、位置決め部材８２を副トッププレート３３上に載置してその固定穴８８ａ，８８ｂを突出部８９ａ，８９ｂに嵌合し、セットする。このとき、収納空間部８４は載置部３４の直上に位置する。そして、図２０の場合と同様に、炊飯器６０又は調理鍋９０をセットする。
本例においても図２０の場合とほぼ同様の効果を得ることができるが、特に、不使用時や清掃時には位置決め部材８２を取外すことができるので、便利である。
【００６１】
［実施の形態６］
図２８は本発明の実施の形態６に係る組込式加熱調理器の斜視図である。
本実施の形態は、実施の形態１〜３の組込式加熱調理器１において、主加熱調理器２の他方の側にも第２の副加熱調理器３０ａを設けたものである。
【００６２】
この場合、第２の副加熱調理器３０ａは、実施の形態１〜３の場合と同様に主加熱調理器２と一体に構成してもよく、あるいは、副加熱調理器３０とほぼ同様の構成の第２の副加熱調理器３０ａを別体に設け、ねじその他の手段により主加熱調理器２に取付けてもよい。なお、別体に設けた場合は、主加熱調理器２と第２の副加熱調理器３０ａの隣接する側壁に、電気的配線や冷却空気等を通す開口部を設けることは当然である。
本実施の形態によれば、より多くの炊飯器６０や調理鍋９０を同時に使用できると共に、万一いずれかの加熱部が故障しても、他の加熱部を使用して炊飯や調理を行うことができて便利である。
【００６３】
以上本発明の実施の形態について説明したが、これら各実施の形態はそれぞれ独立して実施してもよく、あるいは適宜組合わせて実施してもよい。
【００６４】
【発明の効果】
本発明は、支持枠及びこの支持枠に固定されたトッププレート、該トッププレートが天面開口部に取付けられた本体ケースの内部に複数の加熱部、該加熱部の出力等をそれぞれ制御する制御部等が設けられ、外部に前記制御部を選択的に制御する主操作部を備えた主加熱調理器と、枠体及びこの枠体に固定された副トッププレート、該副トッププレートが副天面開口部に取付けられた底板の内部に副加熱部が設けられた副加熱調理器とを備え、前記主加熱調理器を前記トッププレートが流し台の天板上に露出するように該流し台に組込むと共に、前記副加熱調理器を前記主加熱調理器に隣接して前記流し台の天板上に設置するようにしたので、複数の調理鍋を同時に使用して調理することができ、その上１つの加熱部を長時間使用しても他の調理の邪魔にならない使い勝手のよい組込式加熱調理器を得ることができる。
【図面の簡単な説明】
【図１】本発明の実施の形態１に係る組込式加熱調理器を流し台に組込んだ状態を示す斜視図である。
【図２】図１の加熱部の縦断面図である。
【図３】図１の組込式加熱調理器の斜視図である。
【図４】図１の主加熱調理器と副加熱調理器の一体化構造の一例の縦断面図である。
【図５】図４の支持フレームの斜視図である。
【図６】図４の本体ボックスの斜視図である。
【図７】図１の電気系の概略図である。
【図８】図１の流し台の斜視図である。
【図９】炊飯用制御パターンの説明図である。
【図１０】煮物用制御パターンの説明図である。
【図１１】本発明の実施の形態２に係る組込式加熱調理器を流し台に組込んだ状態を示す斜視図である。
【図１２】図１１の副加熱調理器部分の縦断面図である。
【図１３】図１１の炊飯器の外観斜視図及びその要部の斜視図である。
【図１４】図１１の電気系の概略図である。
【図１５】図１１の電気系の他の例の概略図である。
【図１６】図１１の電気系の他の例の概略図である。
【図１７】本発明の実施の形態３に係る組込式加熱調理器を流し台に組込んだ状態を示す一部を省略した縦断面図である。
【図１８】図１７の本体ボックスの斜視図である。
【図１９】図１７の本体ボックスの他の例の斜視図である。
【図２０】図１７の本体ボックスの他の例の斜視図である。
【図２１】図１７の本体ボックスの他の例の斜視図である。
【図２２】図１７の支持枠フレームの他の例の斜視図である。
【図２３】図１７の支持枠フレームの他の例の斜視図である。
【図２４】本発明の実施の形態４に係る組込式加熱調理器を流し台に組込んだ状態を示す斜視図である。
【図２５】図２４の電気系の概略図である。
【図２６】本発明の実施の形態５に係る組込式加熱調理器の要部の斜視図である。
【図２７】図２６の他の例の要部の斜視図である。
【図２８】本発明の実施の形態６に係る組込式加熱調理器の斜視図である。
【符号の説明】
１  組込式加熱調理器、２  主加熱調理器、３  本体ケース、５  トッププレート、６  支持枠、７ａ，７ｂ  載置部、１０  主操作部、１１ａ  電源スイッチ、１１ｃ  予約タイマースイッチ、１２  操作スイッチ、１６  補助操作部、２０ａ，２０ｂ  加熱部、２２  誘導加熱コイル、２５  制御部、２６  冷却用送風機、３０  副加熱調理器、３１  底板、３２  枠体、３３  副トッププレート、３４  載置部、３７  ガイド部、４０  副操作部、４５  副加熱部、４７  誘導加熱コイル、５０  副制御部、５１  副冷却用送風機、５２ａ，５２ｂ  給電部、６０  炊飯器、６１  鍋容器、６４  内鍋、６５，６６  補助加熱体、６８  蓋体、７５  炊飯器操作部、７８  位置決め嵌合部、８０ａ，８０ｂ  受電部、８１  電圧降下手段、８２  ガイド部、９０  調理鍋、９５  電源、１００流し台、１０１  天板、Ｓ  支持枠フレーム、Ｂ  本体ボックス。
【図１】
2005024196.tif 000003
【図２】
2005024196.tif 000004
【図３】
2005024196.tif 000005
【図４】
2005024196.tif 000006
【図５】
2005024196.tif 000007
【図６】
2005024196.tif 000008
【図７】
2005024196.tif 000009
【図８】
2005024196.tif 000010
【図９】
2005024196.tif 000011
【図１０】
2005024196.tif 000012
【図１１】
2005024196.tif 000013
【図１２】
2005024196.tif 000014
【図１３】
2005024196.tif 000015
【図１４】
2005024196.tif 000016
【図１５】
2005024196.tif 000017
【図１６】
2005024196.tif 000018
【図１７】
2005024196.tif 000019
【図１８】
2005024196.tif 000020
【図１９】
2005024196.tif 000021
【図２０】
2005024196.tif 000022
【図２１】
2005024196.tif 000023
【図２２】
2005024196.tif 000024
【図２３】
2005024196.tif 000025
【図２４】
2005024196.tif 000026
【図２５】
2005024196.tif 000027
【図２６】
2005024196.tif 000028
【図２７】
2005024196.tif 000029
【図２８】
2005024196.tif 000030